(57)【特許請求の範囲】
【請求項１】
キャリアアグリゲーションをサポートする無線通信システムにおけるユーザ装置（ＵＥ）のための方法であって、
前記ＵＥは、アクセスノードによって、１つのプライマリ・キャリア及び少なくとも１つのセカンダリ・キャリアを設定され、前記少なくとも１つのセカンダリ・キャリアは、前記アクセスノードによってサブフレーム単位でオンとオフとを動的に切り替え可能であり（以下では、オン／オフ機能と称する）、
前記少なくとも１つのセカンダリ・キャリアについて前記オン／オフ機能が使用されているか否かを示す、前記アクセスノードからのインジケータを受信するステップを含み、前記インジケータは、ＭＡＣ制御エレメントであることを特徴とする方法。
【請求項２】
前記インジケータは、前記アクセスノードによって前記ＵＥに対して設定される全てのセカンダリ・セルについての前記オン／オフ機能を示す
ことを特徴とする請求項１に記載の方法。
【請求項３】
前記インジケータは、個別に設定されたセカンダリ・セルごとの前記オン／オフ機能を示している
ことを特徴とする請求項１又は２に記載の方法。
【請求項４】
キャリアアグリゲーションをサポートする無線通信システムにおけるアクセスノードであって、
前記アクセスノードは、１つのプライマリ・キャリア及び少なくとも１つのセカンダリ・キャリアをユーザ装置（ＵＥ）に設定し、前記少なくとも１つのセカンダリ・キャリアは、前記アクセスノードによってサブフレーム単位でオンとオフとを動的に切り替え可能であり（以下では、オン／オフ機能と称する）、
前記少なくとも１つのセカンダリ・キャリアについて前記オン／オフ機能が使用されているか否かを示す、前記ＵＥへのインジケータを、前記プライマリ・キャリアで送信するよう構成された送信ユニットを備え、前記インジケータは、ＭＡＣ制御エレメントであることを特徴とするアクセスノード。
【請求項５】
前記アクセスノードは、少なくとも１つのセカンダリ・セルについての前記オン／オフ機能の非アクティブ化を、前記オン／オフ機能を使用できないレガシーＵＥに対して前記少なくとも１つのセカンダリ・セルが設定された後に送信している
ことを特徴とする請求項４に記載のアクセスノード。
【請求項６】
前記アクセスノードは、少なくとも１つのセカンダリ・セルについての前記オン／オフ機能のアクティブ化を、前記オン／オフ機能を使用できないレガシーＵＥが前記少なくとも１つのセカンダリ・セルについて設定されなかった後に送信している
ことを特徴とする請求項４又は５に記載のアクセスノード。
【請求項７】
前記アクセスノードは、ロング・ターム・エボリューション（ＬＴＥ）ネットワークのｅＮｏｄｅＢである
ことを特徴とする請求項４から６のいずれか１項に記載のアクセスノード。
【請求項８】
キャリアアグリゲーションをサポートする無線通信システムのアクセスノードによって１つのプライマリ・キャリア及び少なくとも１つのセカンダリ・キャリアを設定されるユーザ装置（ＵＥ）であって、
前記少なくとも１つのセカンダリ・キャリアは、前記アクセスノードによってサブフレーム単位でオンとオフとを動的に切り替え可能であり（以下では、オン／オフ機能と称する）、
前記少なくとも１つのセカンダリ・キャリアについて前記オン／オフ機能が使用されているか否かを示す、前記ＵＥへのインジケータを、前記プライマリ・キャリアで受信する受信ユニットを備え、前記インジケータは、ＭＡＣ制御エレメントであることを特徴とするユーザ装置。
【請求項９】
少なくとも１つのプロセッサによって実行されたときに当該少なくとも１つのプロセッサに請求項１から３のいずれか１項に記載の方法を実行させる命令を含むことを特徴とするコンピュータプログラム。
【請求項１０】
請求項９に記載のコンピュータプログラムを格納したコンピュータ読み取り可能媒体。
【請求項１１】
磁気テープ、ＣＤ−ＲＯＭ、ＤＶＤ又はブルーレイ・ディスクのうちの１つである、請求項１０に記載のコンピュータ読み取り可能媒体。
【発明の詳細な説明】
【背景技術】
【０００１】
３ＧＰＰ ＬＴＥ技術は、（ｅＮｏｄｅＢ又はｅＮＢと称される）基地局から（ユーザ装置（ＵＥ）と称される）移動局への伝送が直交周波数分割多重（ＯＦＤＭ）を用いて送信されるモバイル広帯域無線通信技術である。ＯＦＤＭは、信号を周波数において多数の並列のサブキャリアに分割する。ＬＴＥの伝送の基本単位は、最も一般的な構成では１２個のサブキャリア及び７個のＯＦＤＭシンボル（１スロット）から成るリソースブロック（ＲＢ）である。１サブキャリア及び１ＯＦＤＭシンボルの単位は、リソースエレメント（ＲＥ）と称される（図１を参照）。このため、ＲＢは、８４個のＲＥから成る。ＬＴＥ無線サブフレームは、時間における２個のスロットと周波数における多数のリソースブロックから成り、ＲＢの数によってシステムの帯域幅が決定される（図２を参照）。更に、サブフレーム内において時間で隣接する２個のＲＢは、ＲＢペアと表される。現在、ＬＴＥは、６，１５，２５，５０，７５及び１００個のＲＢペアの、標準規格の帯域幅サイズをサポートしている。時間領域において、ＬＴＥ下りリンク送信は、１０ｍｓの無線フレームに組織化され、各無線フレームは、長さＴsubframe＝１ｍｓの１０個の等しいサイズのサブフレームを含む。ｅＮＢによって下りリンク（ｅＮＢからＵＥへの伝送を運ぶリンク）で送信される信号のサブフレームは、多数のアンテナから送信されてもよく、当該信号は、多数のアンテナを有するＵＥで受信されてもよい。無線チャネルは、多数のアンテナポートからの送信信号を歪ませる。下りリンクにおける任意の伝送を復調するために、ＵＥは、下りリンクで送信される参照シンボル（ＲＳ）に依存する。これらの参照シンボル及び時間‐周波数グリッド内におけるそれらの位置は、ＵＥに既知であり、それ故に、下りリンク信号に同期し、これらのシンボルに対する無線チャネルの影響を測定することでチャネル推定値を決定するために使用されうる。ＬＴＥのリリース１１及びそれ以前のリリースでは、多数のタイプの参照シンボルが存在する。プライマリ同期信号（ＰＳＳ）及びセカンダリ同期信号（ＳＳＳ）は、セルサーチと、粗時間同期及び粗周波数同期に使用される。共通参照シンボル（ＣＲＳ）は、同期に加えて、制御メッセージ及びデータメッセージの復調中にチャネル推定に使用される。ＣＲＳは、サブフレームごとに一回、生じる。チャネル状態情報参照シンボル（ＣＳＩ−ＲＳ）は、ＵＥ固有のアンテナ・プリコーディングを可能にする伝送モードの使用に関連するチャネル状態フィードバックにも使用される。これらの伝送モードは、ＵＥによってＣＳＩ−ＲＳで測定されてＵＥから受信されるフィードバックに基づいてｅＮＢにおいてプリコーディングが実行される伝送時に、ＵＥ固有の復調参照シンボル（ＤＭ−ＲＳ）を使用する。これらの全ての参照信号が、図２においてそれぞれが期間１ｍｓの２個のサブフレームにわたって示されている。
【０００２】
最近では、２０ＭＨｚより広い帯域幅をサポートするＬＴＥリリース１０標準規格が標準化されている（ＬＴＥ ａｄｖａｎｃｅｄ標準規格とも称される）。ＬＴＥリリース１０の１つの重要な要求条件は、ＬＴＥリリース８との後方互換性を確保することである。これにはスペクトルの互換性も含まれる必要がある。これは、２０ＭＨｚよりも広いＬＴＥリリース１０のキャリアが、ＬＴＥリリース８端末に対して、複数のＬＴＥキャリアとして見えなければならないことを意味するであろう。各サブキャリアは、コンポーネントキャリア（ＣＣ）と称されうる。本出願のコンテクスト内では、セルとの用語は特にコンポーネントキャリアを表す。特に、ＬＴＥリリース１０展開の初期では、より低いリリース（例えば、リリース８）用の多くのＬＴＥ端末と比較して、より少ない数のＬＴＥリリース１０対応端末が存在することになることが予想されうる。したがって、レガシー端末についても広いキャリアの効率的な使用を確保、即ち、広帯域のＬＴＥリリース１０キャリアの全ての部分においてレガシー端末がスケジューリングされうるキャリアを実装可能であることを確保する必要がある。これを得る直接的な方法は、キャリアアグリゲーション（ＣＡ）を用いるものであろう。ＣＡは、ＣＣがリリース８のキャリアと同じ構成を有する又は有する可能性があり、ＬＴＥリリース１０端末が多数のＣＣを受信できることを意味する。図３にはＣＡが図示されており、それぞれが２０ＭＨｚの帯域幅を有する５個のキャリアが、１００ＭＨＺのアグリゲーションされた帯域幅に合成されている。
【０００３】
アグリゲーションされたＣＣの数と個々のＣＣの帯域幅は、上りリンクと下りリンクとで異なっていてもよい。対称構成は、下りリンク及び上りリンクにおけるＣＣの数が同じである場合を指すのに対して、非対称構成は、ＣＣの数が異なる場合を指す。セルにおいて設定されるＣＣの数は、端末から見えるＣＣの数と異なることがある。同じ数の上りリンクＣＣ及び下りリンクＣＣがセルに設定されていても、端末は、例えば、上りリンクＣＣよりも多くの下りリンクＣＣをサポートしていることがある。
【０００４】
初期アクセスの間に、ＬＴＥリリース１０端末は、ＬＴＥリリース８端末と同様に振る舞う。ネットワークへの接続の成功に応じて、端末自体の機能及びネットワークに依存して、上りリンク（ＵＬ）及び下りリンク（ＤＬ）において追加のＣＣが端末に設定されうる。設定は、無線リソース制御（ＲＲＣ）シグナリングに基づいている。ＲＲＣシグナリングについての大量のシグナリング及びかなり遅い速度に起因して、多数のＣＣの全てが現在使用されていなくとも、当該多数のＣＣが端末に設定されうることが想定される。多数のＣＣに対して端末が設定された場合、これは、端末が、物理下りリンク制御チャネル（ＰＤＣＣＨ）及び物理下りリンク共有チャネル（ＰＤＳＣＨ）について全てのＤＬ ＣＣをモニタリングしなければならないことを意味するであろう。これは、より広い受信帯域幅、より高いサンプリングレート等を意味し、高い消費電力につながる。
【０００５】
上記の問題を軽減するために、ＬＴＥリリース１０は、設定に加えてＣＣのアクティブ化をサポートしている。端末は、ＰＤＣＣＨ及びＰＤＳＣＨについての設定及びアクティブ化されたＣＣのみをモニタリングする。アクティブ化は、ＲＲＣシグナリングよりも高速な、メディアアクセス制御（ＭＡＣ）制御要素に基づいているため、アクティブ化／非アクティブ化は、現在のデータレートの必要性を満足するために求められるＣＣの数に従いうる。大量のデータが到着すると、多数のＣＣがアクティブ化され、データ伝送のために使用され、もはや必要なくなると非アクティブ化される。全てではなく１つのＣＣ、ＤＬプライマリＣＣ（ＤＬ ＰＣＣ）が、非アクティブ化されうる。したがって、アクティブ化によって、必要性ベースで多数のＣＣをアクティブ化するだけでなく多数のＣＣを設定する可能性がもたらされる。ほとんどの場合、端末は、１つ又はほんの少数のＣＣをアクティブ化し、それにより、より狭い受信帯域幅と、それ故により低いバッテリー消費電力とがもたらされよう。ＣＣのスケジューリングは、下りリンク割り当てを介してＰＤＣＣＨに対して行われる。ＰＤＣＣＨ上の制御情報は、下りリンク制御情報（ＤＣＩ）としてフォーマットされる。リリース８では、端末は１つのＤＬ ＣＣ及び１つのＵＬ ＣＣのみ用いて動作し、それ故に、ＤＬ割り当てと、ＵＬグラントと、対応するＤＬ ＣＣ及びＵＬ ＣＣとの間の関連付けは明確である。
【０００６】
リリース１０では、２つのモードのＣＡが区別される必要がある。第１のモードは、多数のリリース８端末の動作と非常に似ている。ＣＣ上で送信されるＤＣＩメッセージに含まれるＤＬ割り当て又はＵＬグラントは、ＤＬ ＣＣそれ自体に対して有効であるか、又は、（セル固有のリンク付け又はＵＬ固有のリンク付けによって）関連付けられたＵＬ ＣＣに対して有効である。第２のモードの動作は、キャリア・インジケータ・フィールド（ＣＩＦ：Carrier Indicator Field）を有するＤＣＩメッセージを増加させる。ＣＩＦを有するＤＬ割り当てを含むＤＣＩは、ＣＩＦによって示されたそのＤＣ ＣＣに対して有効であり、ＣＩＦを有するＵＬグラントを含むＤＣＩは、示されたＵＬ ＣＣに対して有効である。
【０００７】
下りリンク割り当て用のＤＣＩメッセージは、特に、リソースブロック割り当て、変調及び符号化方式関連パラメータ、ＨＡＲＱ冗長性バージョン等を含む。実際の下りリンク伝送に関連するそれらのパラメータに加えて、下りリンク割り当て用のほとんどのＤＣＩフォーマットは、送信電力制御（ＴＰＣ：Transmit Power Control）コマンド用のビットフィールドも含む。これらのＴＰＣコマンドは、ＨＡＲＱフィードバックの送信に使用される、対応する物理上りリンク制御チャネル（ＰＵＣＣＨ）の上りリンク電力制御動作を制御するために使用される。
【０００８】
リリース１０のＬＴＥでは、ＰＵＣＣＨの送信は、１つの固有の上りリンクＣＣであるＵＬプライマリＣＣ（ＵＬ ＰＣＣ）に対してマッピングされる。単一のＤＬ ＣＣ（そのためＤＬ ＰＣＣである）及び単一のＵＬ ＣＣ（そのためＵＬ ＰＣＣである）が設定された端末は、リリース８に従ってＰＵＣＣＨで動的ＡＣＫ／ＮＡＣＫを運用している。ＤＬ割り当て用のＰＤＣＣＨを送信するために使用される第１の制御チャネル要素（ＣＣＥ：Control Channel Element）は、リリース８のＰＵＣＣＨ上で動的ＡＣＫ／ＮＡＣＫリソースを決定する。１つのＤＬ ＣＣのみがセル固有にＵＬ ＰＣＣとリンク付けされるため、全てのＰＤＣＣＨが異なる第１のＣＣＥを使用して送信されることからＰＵＣＣＨコリジョンは発生しえない。単一のセカンダリＣＣ（ＳＣＣ：Secondary CC）上でのＤＬ割り当ての受信、又は複数のＤＬ割り当ての受信に応じて、ＣＡ ＰＵＣＣＨが使用されなければならない。ＤＬ ＳＣＣ割り当て単独は典型的ではない。ｅＮＢスケジューラは、単一のＤＬ ＣＣ割り当てをＤＬ ＰＣＣ上でスケジューリングすることを目指すとともに、必要ない場合にはＳＣＣを非アクティブ化しようと試みなければならない。起こりうる可能性のあるシナリオは、ｅＮＢが、ＰＣＣを含む複数のＤＬ ＣＣで端末をスケジューリングすることである。端末は、ＤＬ ＰＣＣ割り当てを除いて全てに失敗する場合、ＣＡ ＰＵＣＣＨの代わりにリリース８のＰＵＣＣＨを使用することになる。このエラーケースを検出するために、ｅＮＢは、リリース８のＰＵＣＣＨ及びＣＡ ＰＵＣＣＨの両方をモニタリングする必要がある。
【０００９】
リリース１０のＬＴＥでは、ＣＡ ＰＵＣＣＨフォーマットは、設定されるＣＣの数に基づいている。ＣＣの設定は、ＲＲＣシグナリングに基づいている。新しい設定の受信／適用の成功後に、ＲＲＣシグナリングを非常に安全にする確認メッセージが返送される。
【００１０】
今までは、ＬＴＥによって使用されるスペクトルはＬＴＥ専用である。これには、ＬＴＥシステムが共存の問題を心配する必要がなく、かつ、スペクトル効率の最大化が可能であるという利点がある。しかし、ＬＴＥに割り当てられるスペクトルは制限されており、これは、絶え間なく増加している、アプリケーション／サービスからのより大きなスループットの需要を満たすことができない。したがって、３ＧＰＰは、現在、新たな基本検討を開始しており、即ち、ＬＴＥを非ライセンス・スペクトルで同様に動作させている。非ライセンス・スペクトルは、ＬＴＥではなく他のシステムで同様に使用されている。このため、ＬＴＥは、他のシステム、例えばＷｉＦｉとの共存の問題を考慮する必要がある。非ライセンス・スペクトルでＬＴＥが動作する場合には、チャネルが占有されていることを検出するとＷｉＦｉは送信を行わなくなるため、ＷｉＦｉは全く動作できない。更に、非ライセンス・スペクトルを確実に利用する１つの方法は、必須の制御信号及びチャネルをライセンス・キャリアへ委ねることである。即ち、図４に示されるように、ＵＥは、ライセンス帯域でプライマリ・セル（ＰＣｅｌｌ）に接続されるとともに、非ライセンス帯域で１つ以上のセカンダリ・セル（ＳＣｅｌｌ）に接続される。非ライセンス帯域には多くの利用可能なスペクトルが存在し、これらの帯域は今日、ＷＬＡＮによって広く使用されている。Ｗｉ−Ｆｉにおけるスペクトルの共有は、全帯域幅を複数のチャネルに分割することによって行われる。２．４ＧＨｚ帯では、チャネルは通常、２０ＭＨｚ幅であり、最大１３チャネルまで規定されている。これらは部分的にオーバラップしており、それ故に互いに干渉し合う。通常、２．４ＧＨｚ帯では３個の非オーバラップ・チャネルが使用される。５ＧＨｚ帯については、利用可能な帯域幅が非常に大きいため、更に多くのチャネルが利用可能である。しかし、ＩＥＥＥ８０２．１１ｎ及びＩＥＥＥ８０２．１１ａｃの発展に伴って、帯域幅が２０ＭＨｚから４０、８０、更には１６０ＭＨｚへ増やされている。これにより、特に、より広い帯域幅が使用される際に、非オーバラップ・チャネルの数はかなり少ないままである。典型的なＷＬＡＮ展開では、使用されるチャネルが可能な限りオーバラップしないようにアクセスポイント（ＡＰ）が割り当てられる。実際には、これは多くの場合、同じチャネルを使用するＡＰ間の距離を最大限にするよう試みることを意味する。チャネルアクセスについてはＣＳＭＡ／ＣＡが使用される。これは、チャネルが感知され、当該チャネルがアイドル（Idle）であるとされている場合にのみ送信が開始されることを意味する。チャネルがビジー（Busy）であるとされている場合には、当該チャネルがアイドルであると分かるまで送信が実質的に延期される。同じ周波数を使用する数個のＡＰのレンジがオーバラップする場合、これは、レンジ内にある他のＡＰからの又は他のＡＰへの同一周波数での送信が検出されうる場合に、１つのＡＰに関連する全ての送信が延期される可能性があることを意味する。事実上、これは、数個のＡＰがレンジ内にある場合に、それらが時間でチャネルを共有する必要があり、個々のＡＰのスループットが大幅に���下する可能性があることを意味する。図５には、トーク・メカニズムの前のリッスンの概略図が示されている。
【００１１】
３ＧＰＰのＬＴＥ無線ネットワークでは、セル（スモールセルであってもよい）の高密度の配置が、システム容量の増加のために魅力的である。スモールセルは、１つより多くのコンポーネントキャリアが利用可能である場合に、キャリアアグリゲーションのコンポーネントキャリアとも称されうる。しかし、高密度配置では、通常、各セルに接続されるユーザ装置（ＵＥ）がより少なくなり、また、セルが使用される際により高いレートが提供されるのに伴ってリソース利用効率がより低くなる。３ＧＰＰ ＬＴＥのような既存のシステムを用いる通常配置用に開発された参照信号の構成は、配置が密になる場合に生成される多くの不必要な干渉が存在する程度に高すぎる密度を有しうる。更に、ＵＥへ送信されるデータが存在しない場合であっても、参照信号が送信されうる。不必要な干渉についてのこのような問題に対処するために、スモールセルが使用中ではない場合に当該スモールセルをオフにするソリューションが、３ＧＰＰ ＬＴＥリリース１２で議論されている。スモールセル・エンハンスメントは、例えば、３ＧＰＰ ＴＲ ３６．８７２ Ｖ１２．１．０において説明されている。「スモールセル・オン／オフモード（small cells on/off-mode）」では、性能を最大限にするために、オン状態とオフ状態との間の遷移時間が可能な限り高速であることが望ましい。したがって、セル状態は、数ミリ秒から数１０ミリ秒の範囲で変化する可能性があり、これは、３ＧＰＰ ＬＴＥ ＲＡＮ１で標準化されているドーマント（dormant）モードタイプの動作に対応する時間スケールよりも十分に高速である。スモールセル・オン／オフ機能は、スモールセルと称されるがスモールセルには限定されず、任意のセル電力タイプに対して展開することも可能である。
【００１２】
スモールセル・レイヤがセカンダリ・セル（ＳＣｅｌｌ）レイヤとして設定される場合、キャリアアグリゲーション（ＣＡ）が当然サポートされる。スモールセル又はＣＡ用のＳＣｅｌｌは、データトラフィックがスモールセル・レイヤによって処理される必要がない場合に非アクティブ化されうる。ＵＥからのトラヒック需要が増加する段階では、ネットワークは、プライマリ・セル（ＰＣｅｌｌ）が、増加したトラフィック需要を処理できず、それにより、スモールセルでありうるセカンダリ・セル（ＳＣｅｌｌ）をアクティブ化することになると判断する。しかし、ＵＥがスモールセル・オン／オフ機能又はディスカバリ信号をサポートしていないタイプである場合、常時、ＵＥは、非アクティブされたセルがＣＲＳを送信していると想定する。しかし、アクティブ化されたＳＣｅｌｌでは、例えばトラフィックが無いこと又は下りリンク・トラフィックの完了に起因してセルがオフに移行でき、かつ、パケットが到着した場合に再びセルがオンになる場合がありうる。このようなメカニズムにより、動的な方法でオン又はオフにするようにスモールセル又はＳＣｅｌｌをトリガすることができる。これらの方式では、スモールセルは、サブフレームの時間スケールでのパケット到着／完了及び干渉調整／回避の必要性のような基準に従って、サブフレームレベルでオン／オフされうる。言い換えれば、スモールセル又はＳＣｅｌｌは、パケット到着の時に直ちにオンにされうるとともにＵＥへパケットを送信でき、パケット送信の完了の時にオフにされうる。同様に、スモールセルは、干渉調整及び／又は回避の必要性に基づいて直ちにオン／オフにされうる。原理的には、ＳＣｅｌｌが非アクティブ化された場合にセルがオフであることをＵＥが想定できるようにＣＡのアクティブ化／非アクティブ化方法を変更することが可能であろう。しかし、Ｓｃｅｌｌのアクティブ化に関連する遅延が存在し、当該遅延はこれを魅力的でない動作にしてしまう。これは、セルをオフにすることによるゲインが非常に低いか又は失われるためである。その結果、ＵＥによるトラフィック需要をトラッキングすることができない。しかし、ＵＥにおけるトラフィック需要のトラッキングは、スモールセル・オン／オフ機能を処理することができ、これは、サブフレーム単位で最速の形態でサブフレームをオフからオンへ切り替えることができるためである。
【００１３】
スモールセル・オン／オフ動作の実現のために、柔軟性を増大させ、かつ、実現可能な時間スケールを減らすためには、オフにされたスモールセルを制御するｅＮＢが、セルがサービングセルになれるくらい適していることをｅＮＢに知らせるためにＵＥにおいて無線リソース管理（ＲＲＭ：Radio Resource Management）測定を有効化するのに必要とされる特性をサポートすべく、ディスカバリ信号（Discovery Signal）を周期的に送信する必要がある。更に、ディスカバリ信号は、無線リンク品質を判定するための、及び時間／周波数の粗同期のための無線リンク管理（ＲＬＭ：Radio Link Measurement）関連手順をサポートするのに使用される。ｅＮＢは、このディスカバリ信号を周期的に（例えば、８０ｍｓ又は１６０ｍｓごとに１回等）送信する必要がある。このディスカバリ信号は、セルがそのようなセルを見つけることができるように（即ち、セルサーチを実行するために）、セルがスモールセル・オン／オフを動作させる際に利用されうる。
【００１４】
スモールセル又はセル・オン／オフ機能をサポートしていないＵＥ（例えば、ＬＴＥリリース８からＬＴＥリリース１１までに従ったＵＥ）は、各セルがＣＲＳを周期的に送信するはずであると想定する。新しく導入されたオン／オフ機能をセルが使用している（セル・オン／オフを動作させている）場合、当該セルは、オフにされているときには、この機能をサポートしていないＵＥにサービスを行うことができない。この非サポートＵＥが、オン／オフモードで動作している当該セルによるサービスを受ける必要があるとネットワークによって決定された場合には、このセルは、オン／オフ機能をサポートしていないＵＥにサービスを行うためにオン／オフモードでの動作を直ちに停止する。ＵＥがこのセルのカバレッジから離れた後に、ネットワークは、このセルのオン／オフモードを再びオンにすることを決定できる。
【００１５】
ディスカバリ信号とセル又はスモールセル・オン／オフ機能とが独立して運用されることが可能であるという事実に起因して、少なくとも１つのｅＮＢのカバレッジエリア内のセルのオン／オフ機能をサポートできるＵＥは、オン／オフモードで動作しているセルと、セルの当該オン／オフ機能をサポートしていないＵＥをサポートする必要があるセルとを区別することができない。
【発明の概要】
【００１６】
本発明の目的は、先行技術の欠点を克服することである。この目的は、独立請求項によって達成される。
【００１７】
一実施形態では、キャリアアグリゲーションをサポートする無線通信システムにおけるユーザ装置（ＵＥ）のための方法が提案される。ＵＥは、アクセスノードによって、１つのプライマリ・キャリア及び少なくとも１つのセカンダリ・キャリアを設定される。少なくとも１つのセカンダリ・キャリアは、アクセスノードによって高速な単位で動的にオンとオフとの切り替えが行われることが可能であり、これは以下ではオン／オフ機能と称される。本方法は、少なくとも１つのセカンダリ・キャリアについてオン／オフ機能が使用されているか否かを示す、アクセスノードからのインジケーションを受信するステップを含む。
【００１８】
更なる実施形態では、キャリアアグリゲーションをサポートする無線通信システムにおけるアクセスノードが提案される。アクセスノードは、１つのプライマリ・キャリア及び少なくとも１つのセカンダリ・キャリアをＵＥに設定している。少なくとも１つのセカンダリ・キャリアは、アクセスノードによってサブフレーム単位で動的にオンとオフとの切り替えが行われることが可能であり、これは以下ではオン／オフ機能と称される。アクセスノードは、少なくとも１つのセカンダリ・キャリアについてオン／オフ機能が使用されているか否かを示す、ＵＥへのインジケーションを、プライマリ・キャリアで送信する送信ユニットを備える。
【００１９】
更なる実施形態では、キャリアアグリゲーションをサポートする無線通信システムのアクセスノードによって１つのプライマリ・キャリア及び少なくとも１つのセカンダリ・キャリアを設定されるユーザ装置が提案される。少なくとも１つのセカンダリ・キャリアは、アクセスノードによってサブフレーム単位で動的にオンとオフとの切り替えが行われることが可能であり、これは以下ではオン／オフ機能と称される。ユーザ装置は、少なくとも１つのセカンダリ・キャリアについてオン／オフ機能が使用されているか否かを示す、ＵＥへのインジケーションを、プライマリ・キャリアで受信する受信ユニットを備える。
【００２０】
本発明は、ユーザデバイス及び受信デバイスのそれぞれの少なくとも１つの処理ユニットによって操作された際に上述の方法を実行するためのソフトウェアコード又は命令の部分を含むコンピュータプログラムにも関係する。コンピュータプログラムは、コンピュータ読み取り可能媒体に格納されてもよい。コンピュータ読み取り可能媒体は、ユーザデバイス若しくは受信デバイス内の又は外部にある、永続的又は書き換え可能なメモリであってもよい。個別のコンピュータプログラムは、更に、ケーブル又は無線リンクを介して一連の信号としてユーザデバイス又は受信デバイスへ転送されてもよい。
【図面の簡単な説明】
【００２１】
【図１】ＬＴＥにおけるリソースブロックの時間‐周波数グリッドを示す図
【図２】ＬＴＥサブフレームの構成を示す図
【図３】ＬＴＥリリース１０によるキャリアアグリゲーションを示す図
【図４】ライセンス帯域におけるプライマリセル・セル（ＰＣｅｌｌ）へのＵＥの接続と、非ライセンス帯域における少なくとも１つのセカンダリ・セル（ＳＣｅｌｌ）へのＵＥの接続とを示す図
【図５】トーク・メカニズムの前のリッスンの概略図
【図６】一実施形態のフロー図
【図７】一実施形態に係る新しいメッセージの構成を示す図
【図８】最新のセル品質インジケータ（ＣＱＩ）報告の提供についての一例を示す図
【図９】一実施形態に係るアクセスノードの実施形態を示す図
【図１０】一実施形態に係るユーザ装置（ＵＥ）を示す図
【発明を実施するための形態】
【００２２】
以下では、限定ではなく説明を目的として、本発明の深い理解をもたらすために具体的な詳細について説明する。これらの具体的な詳細から逸脱した他の実施形態でも本発明が実施されうることは当業者に明らかである。例えば、本発明を説明するためにＬＴＥ標準技術に関連して例示的な実施形態が記載されているが、それらは他の種類のモバイル通信システムに同様に適用可能である。また、本発明は、モバイルユーザがアタッチする任意のネットワークにおいて実施されてもよい。例えば、本発明は、セルラネットワークの他にも、ローカルエリアネットワーク（ＬＡＮ）、無線ＬＡＮ（ＷＬＡＮ），又は同様の無線ネットワークに対して適用可能であるのみならず、例えば、企業のイントラネット又はインターネットにも適用可能である。以下では本発明の説明のために特定のプロトコルスタックが使用されているが、他の任意の適切なプロトコルスタックが同様に使用されてもよい。
【００２３】
当業者であれば、本明細書において以下で説明される機能が、ハードウェア回路、ソフトウェア手段又はそれらの組み合わせを使用して実装されうることを更に理解しよう。ソフトウェア手段は、特定用途向け集積回路（ＡＳＩＣ）及び／又はデジタルシグナルプロセッサを使用する、プログラムされるマイクロプロセッサ又は汎用コンピュータに関連してもよい。本発明が方法として記載される場合には、コンピュータプロセッサ及び当該プロセッサに接続されたメモリで実施されもよく、その場合、メモリは、プロセッサによって実行された際に本方法を実行する１つ以上のプログラムでエンコードされる。
【００２４】
いくつかの実施形態では、より汎用的な用語「ネットワークノード」又は「アクセスノード」が使用され、これは、ＵＥ及び／又は他のネットワークノードと通信する、任意のタイプの無線ネットワークノード又は任意のネットワークノード若しくはアクセスノードに相当する。ネットワークノードの例は、ＮｏｄｅＢ、基地局（ＢＳ）、ＭＳＲ ＢＳのようなマルチスタンダード無線（ＭＳＲ）無線ノード、ｅＮｏｄｅＢ、ネットワーク制御装置、無線ネットワーク制御装置（ＲＮＣ）、基地局制御装置（ＢＳＲ）、中継器、ドナーノード制御中継器、無線基地局（ＢＴＳ）、アクセスポイント（ＡＰ）、送信ポイント、送信ノード、ＲＲＵ、ＲＲＨ、分散アンテナシステム（ＤＡＳ：distributed antenna system）内のノード、コアネットワークノード（例えば、ＭＳＣ、ＭＭＥ等）、Ｏ＆Ｍ、ＯＳＳ、ＳＯＮ、ポジショニングノード（例えば、Ｅ−ＳＭＬＣ）、ＭＤＴ等である。
【００２５】
いくつかの実施形態では、非限定用語であるユーザ装置（ＵＥ）が使用され、ＵＥは、セルラ又はモバイル通信システム内のネットワークノード及び／又は他のＵＥと通信する任意のタイプの無線デバイスを指す。ＵＥの例は、ターゲットデバイス、デバイス・ツー・デバイス（Ｄ２Ｄ：device to device）ＵＥ、マシンタイプＵＥ、マシン・ツー・マシン（Ｍ２Ｍ：machine to machine）通信を行えるＵＥ、ＰＤＡ、ｉＰＡＤ、タブレット、モバイル端末、スマートフォン、ラップトップ組み込み装置（ＬＥＥ：laptop embedded equipped）、ラップトップ搭載装置（ＬＥＥ：laptop mounted equipment）、ＵＳＢドングル等である。
【００２６】
一実施形態によれば、キャリアアグリゲーションをサポートする無線通信システムにおけるユーザ装置（ＵＥ）のための方法が提案される。ＵＥは、アクセスノードによって、１つのプライマリ・キャリア及び少なくとも１つのセカンダリ・キャリアを設定される。したがって、ＵＥは、プライマリ・セル及び少なくとも１つのセカンダリ・セルを介して、これらのセルがアクティブである場合に通信することが可能である。本コンテクストにおけるキャリアは、コンポーネントキャリア又はセルであってもよく、ＳＣｅｌｌはセカンダリ・セル又はコンポーネントキャリアであり、ＰＣｅｌｌはプライマリ・セル又はコンポーネントキャリアである。少なくとも１つのセカンダリ・キャリアは、これらのアクセスノードによって非常に短い時間に動的にオンとオフとの切り替えが行われることが可能であり、これは以下ではオン／オフ機能と称される。この非常に短い時間の単位は、３ＧＰＰ ＴＲ ３６．８７２ Ｖ１２．１．０の、導入されたスモールセル・オン／オフ機能に従ったサブフレーム単位であってもよい。この標準規格のセクション6.1.1.1には、本実施形態に係るオン／オフ機能の例が記載されている。方式４「Ideal, dynamic on/off schemes」には、スモールセルがサブフレームレベルでオン／オフされてもよいことが記載されている。この方式の詳細な説明は、同標準規格のセクション6.1.1.1.2に含まれている。このセクションでは、この方式が、サブフレーム時間スケールでのパケット到着／完了及び干渉調整／回避の必要性のような基準に従うことが述べられている。言い換えれば、スモールセルは、パケット到着の時に直ちにオンにされうるとともにＵＥへパケットを送信でき、パケット送信の完了の時にオフにされうる。同様に、スモールセルは、干渉調整／回避の必要性に基づいて直ちにオン／オフにされうる。本実施形態は、少なくとも１つのセカンダリ・キャリアについてオン／オフ機能が使用されているか否かを示す、アクセスノードからのインジケーションを受信するステップを含む。当該インジケーションは、プライマリ・キャリアで受信されうる。プライマリ・キャリアでインジケーションを受信する利点は、ＣＡにおけるプライマリ・キャリア又はＰＣｅｌｌは常にアクティブでなければならず、それ故に、ＣＡにおけるＳＣｅｌｌ用のコマンド及びインジケーションを、これらのＳＣｅｌｌがオフであっても受信できることである。
【００２７】
図６は、本発明の一実施形態をフロー図で示している。ｅＮＢ（アクセスノード）は、（ＬＴＥリリース１２ネットワークのような）キャリアアグリゲーションをサポートする無線通信システムにおいてＵＥへＣＡアクティブ化コマンドを送信する。ＵＥは、ｅＮＢによって、１つのプライマリ・キャリア及び少なくとも１つのセカンダリ・キャリアを設定される。少なくとも１つのセカンダリ・キャリアは、アクセスノードによってサブフレーム単位で動的にオンとオフとの切り替えが行われることが可能である。ＵＥは、このアクティブ化（又は非アクティブ化）コマンドによってインジケータ（オン／オフ動作を示す新しいアクティブ化コマンド）を受信したか、又は（オン／オフ機能が使用されていない）リリース１０のＣＡアクティブ化コマンドを受信したかを判定する。ＵＥは、そのようなインジケータを受信した場合には、ＳＣｅｌｌ又は全てのＳＣｅｌｌ上のオン／オフ動作を想定し、ネットワークとの通信セッションにおいてこの機能を実行する。ＵＥは、オン／オフ機能に基づかないリリース１０のアクティブ化コマンドを受信した場合には、ＳＣｅｌｌ上でのオン／オフ動作が適用可能ではないと想定し、（リリース８−リリース１１のＵＥの動作に従って）レガシーとして動作する。
【００２８】
本発明の実施形態では、ＳＣｅｌｌ上のオン／オフ動作モードは、特定のＳＣｅｌｌアクティブ化コマンドの導入によって与えられる。特定のセルのスモールセル・オン／オフを示すアクティブ化コマンドは、ＬＴＥリリース１０で導入されたＣＡアクティブ化コマンドとは異なるコマンドである。既知のＣＡアクティブ化コマンドは、特定のエリアについてのキャリアアグリゲーションの設定のために使用される。この設定は、より長期間にわたる設定であり、例えば、サブフレーム単位でスモールセル・オン／オフ機能として使用されることはできない。ＵＥは、オン／オフ動作を示すＳＣｅｌｌアクティブ化コマンドを受信した場合には、セルが（オン／オフ機能を使用して）オン／オフモードで動作していると想定する。アクティブ化コマンドは、アクセスノードによって送信され、アクセスノードは、ＵＥへのＰＤＳＣＨにおけるＭＡＣ制御要素としての第１の例におけるｅＮｏｄｅＢであってもよい。変更された内容を有する既存の設定（configuration）メッセージを使用することを提案する。３ＧＰＰ標準規格３６．３２１バージョン１２．１．０（２０１４−０３）は、ポイント6.1.3.8で、アクティブ化／非アクティブ化ＭＡＣ制御要素（ＣＥ）を開示している。当該要素は、固定サイズを有し、７つのＣフィールド及び１つのＲフィールドを含む単一オクテットから成る。アクティブ化／非アクティブ化ＭＡＣ制御要素は、以下のように定義されている。３ＧＰＰ ＴＳ ３６．３３１バージョン１２．１．０「Evolved Universal Terrestrial Radio Access (E-UTRA); Radio Resource Control (RRC); Protocol specification」に規定されたＳＣｅｌｌＩｎｄｅｘ ｉを設定されたＳＣｅｌｌが存在する場合には、Ｃｉフィールドは、ＳＣｅｌｌＩｎｄｅｘ ｉを有するＳＣｅｌｌのアクティブ化／非アクティブ化状態を示し、それ以外の場合には、ＵＥはＣｉフィールドを無視しなければならない。Ｃｉフィールドは、ＳＣｅｌｌＩｎｄｅｘ ｉを有するＳＣｅｌｌがアクティブ化されなければならないことを示すために「１」に設定される。Ｃｉフィールドは、ＳＣｅｌｌＩｎｄｅｘ ｉを有するＳＣｅｌｌが非アクティブ化されなければならないことを示すために「０」に設定される。Ｒフィールドは、予約ビットであり、「０」に設定される。ここで、ＭＡＣ ＣＥメッセージ内のＲフィールドを、全てのサービングセル（ＳＣｅｌｌ）についてのオン／オフ動作機能の使用を示すインジケータで置き換えることを提案する。一例として、新しく導入されるインジケータＶは、「０」値を用いて、全てのサービングセルについてのオン／オフ動作機能の不使用を知らせるＣＡアクティブ化／非アクティブ化コマンドを示す。「１」の値（又は設定／真）は、全てのサービングセルについてのオン／オフ動作機能の使用を知らせるＣＡアクティブ化／非アクティブ化コマンドを示す。新しいインジケータが偽又は「０」に設定されている場合、この新しいインジケータは、既存のＲインジケータと同じ値を含む。既存のＣＡ ＭＡＣ ＣＥがこの実施形態に従って変更された場合、ｅＮＢが、同一のＵＥへ向かう古いＭＡＣ ＣＥメッセージ及び新しいＭＡＣ ＣＥメッセージの両方を操作することが可能になる。図７には、新しいメッセージの構成が図示されて��る。ＵＥは、新しいインジケータを有する新しいメッセージを受信した場合、オン／オフモードでセルが動作していると想定することになる。「０」に設定されたインジケータを有するリリース１０メッセージを受信した場合、ＵＥは、ＳＣｅｌｌがオン／オフモードなしで動作していると想定する。この事実は、サービングｅＮＢが、スモールセル・オン／オフ動作をサポートしていないＵＥの存在を理由に全てのセルについてのオン／オフ動作機能をオフにしたいような場合に利用されうる。
【００２９】
別の例は、ｅＮＢが、ＰＤＣＣＨ又は（ｅ）ＰＤＣＣＨ上の下りリンク制御情報（ＣＤＩ）メッセージでアクティブ化コマンドをＵＥへ送信することである。
【００３０】
ＵＥは、アクティブ化コマンドを受信した場合には、まず、オン／オフで動作しているセルについてのアクティブ化を示すアクティブ化コマンドを識別する。この処理の後、ＵＥは、ＳＣｅｌｌをアクティブ化する。ＳＣｅｌｌをアクティブ化することは、ＵＥが、そのＳＣｅｌｌ上でＰＤＳＣＨ／ＰＤＣＣＨを受信でき、同時に、そのセルについてのＣＳＩ及びＳＲＳの報告を、ＵＥがこれらを報告するよう設定されている場合に開始できることを意味する。更に、ＵＥがオン／オフ動作を行っているＳＣｅｌｌ上でアクティブ化された場合、その動作は少し異なる方法で定められうる。一例では、ここで考えられる動作方法は、ＳＣｅｌｌがオンであると想定されるかオフであると想定されるかについての黙示のシグナリングに基づく方法である。ＵＥは、ＳＣｅｌｌ上（又はセカンダリ・コンポーネントキャリア上）のＣＲＳの検出に基づいて、セルがオンであるかオフであるかを検出する。簡潔には、ＵＥは、オンである任意のサブフレームで送信されるＣＲＳの検出を試みることによって、任意のサブフレームでＳＣｅｌｌの状態を検出する。ディスカバリ・バースト及びＣＳＩ−ＲＳの両方が、「オン」セルと同様に「オフ」セルからも送信されるように設定される。このため、ＵＥは、必要とされる場合に最新のセル品質インジケータ（ＣＱＩ：Cell Quality Indicator）報告を提供することが可能である。図８には、データはスケジューリングされていないがＣＲＳ及び可能性のある他のＲＳが送信されるいくつかのサブフレームが存在する例が図示されている。これは、その後のサブフレームでのデータ受信の準備のために、ＲＳを有するいくつかの追加のサブフレームをＵＥに提供するように行われうる。
【００３１】
原理的には、この方法は、ＵＥが現在のサブフレームについてのＵＥサーチスペース上でＰＤＣＣＨの復号を試みる場合に、ＰＤＣＣＨをインジケータとして使用していると考えることができる。しかし、ＣＲＳに代えてＰＤＣＣＨのみをインジケータとして使用することは、ＣＲＳベースの検出によって上述のように促進されるという追加の利点をもたらさない。
【００３２】
オン／オフ動作の別の例は、オン／オフで動作しているＳＣｅｌｌがオンであるかあるいはオフであるかを示す、ある形態のインジケータ又はＤＣＩメッセージが、別のセルでシグナリングされることである。更には、ＤＲＸの期間中にセルが「オフ」であると想定し、かつ、非ＤＲＸの期間中（即ち、ＤＲＸ周期内のオン期間）にセルが「オン」であると想定するように、ＵＥの間欠受信（ＤＲＸ）動作に対してオン／オフ動作との関係を結び付けることが可能である。
【００３３】
他の実施形態では、オン／オフ動作モードで動作しているＳＣｅｌｌについてのアクティブ化／非アクティブ化を知らせるための新しい設定メッセージ又はＭＡＣ ＣＥメッセージを構成することを提案する。新しい設定メッセージを用いることで、ＳＣｅｌｌごとのオン／オフ動作モードを知らせることが可能になりうる。
【００３４】
ＳＣｅｌｌ又は全てのＳＣｅｌｌについてのオン／オフ動作機能の使用を示すインジケータの導入によって、オン／オフ動作モードと非オン／オフ動作モードとの間のＵＥの想定をネットワークが素早く切り替える可能性が提供される。更には、スモールセル・オン／オフ動作が適用されているか否かをＵＥへ知らせるためのツールが提供される。
【００３５】
図９は、本発明の実施形態に係るアクセスノードの実施形態を図示しており、アクセスノードはＬＴＥネットワーク内のｅＮｏｄｅＢであってもよい。アクセスノードは、キャリアアグリゲーションをサポートしており、１つのプライマリ・キャリア及び少なくとも１つのセカンダリ・キャリアをＵＥに設定している。少なくとも１つのセカンダリ・キャリアは、アクセスノードのプロセッサによってサブフレーム単位で動的にオンとオフとの切り替えが行われることが可能であり、これは以下ではオン／オフ機能と称される。アクセスノードは、少なくとも１つのセカンダリ・キャリアについてオン／オフ機能が使用されているか否かを示す、ＵＥへのインジケーションを、プライマリ・キャリアで送信する送信ユニットを備える。
【００３６】
図１０は、キャリアアグリゲーションをサポートする無線通信システムのアクセスノードによって１つのプライマリ・キャリア及び少なくとも１つのセカンダリ・キャリアを設定される、本発明の一実施形態に係るユーザ装置（ＵＥ）を図示している。少なくとも１つのセカンダリ・キャリアは、アクセスノードによってサブフレーム単位で動的にオンとオフとの切り替えが行われることが可能であり、これは以下ではオン／オフ機能と称される。ＵＥは、少なくとも１つのセカンダリ・キャリアについてオン／オフ機能が使用されているか否かを示す、ＵＥへのインジケーションを、プライマリ・キャリアで受信する受信ユニットを備える。少なくとも１つのセカンダリ・セルについてオン／オフ機能が使用できるとのインジケーションをＵＥが受信した場合には、当該ＵＥは、このセカンダリ・セルがサブフレーム単位でオン及びオフにされうるモードへ切り替わる。したがって、ＵＥとアクセスノードとの間で特定のシグナリングが必要となる。少なくとも１つのセカンダリ・セルについてオン／オフ機能が使用できないとのインジケーションをＵＥが受信した場合には、当該ＵＥは、この機能が使用できないレガシーモードへ切り替わる。シグナリング及びＵＥの動作は、オン／オフ機能がサポートされるモードとは異なっている。したがって、ＵＥは、異なるモードで通信を処理するよう構成されたプロセッサを備える。
【００３７】
本発明は、ユーザデバイス及び受信デバイスのそれぞれの少なくとも１つの処理ユニットによって操作された際に上述の方法を実行するためのソフトウェアコード又は命令の部分を含むコンピュータプログラムにも関係するため、アクセスノード及びＵＥ内の図示されたストレージは、実行用のいくつかの処理ステップを格納できる。コンピュータプログラムは、図９及び／又は図１０の、コンピュータ読み取り可能媒体又はストレージに格納されてもよい。コンピュータ読み取り可能媒体は、ユーザデバイス若しくは受信デバイス内の又は外部にある、永続的又は書き換え可能なメモリであってもよい。個別のコンピュータプログラムは、更に、ケーブル又は無線リンクを介して一連の信号としてユーザデバイス又は受信デバイスへ転送されてもよい。
【００３８】
更に、以下の論点を含む、３ＧＰＰ ＴＳＧ ＲＡＮ ＷＧ１ミーティング＃７７における議論に言及する。
【００３９】
共有セル配置では、ＵＥは、共有セル内で、当該共有セルのＰＳＳ／ＳＳＳ（プライマリ／セカンダリ同期信号）を検出する。ＰＳＳ／ＳＳＳは、通常、共有セル内の全ての送信ポイントから送信される。更に、ＣＲＳも、共有セル内で全ての送信ポイントから送信される。ＣＲＳ及びＰＳＳ／ＳＳＳの両方について、これらは同一のＰＣＩ（物理セルＩＤ）を用いて送信され、それ故に、同期したやり方で無線で結合する。ディスカバリ信号は、送信ポイントごとに固有の信号を送信させることによって異なる送信ポイントを検出するためにＵＥによって使用される。この固有の信号は、例えば、ＣＳＩ−ＲＳであってもよい。ＵＥは、ＴＰごとのディスカバリ信号測定値に基づいてＲＲＭ測定値を報告し、それにより、ネットワークは、ＤＭ−ＲＳの使用によって、いずれのＴＰからＵＥがスケジューリングされるかを選択できる。そのため、ＴＰごとのディスカバリ信号における固有の信号が、同一のＴＰからのＤＭ−ＲＳとコロケーションされる（co-located）ために必要である。これは、あるＴＰからのＵＥがどのような長期スケジューリング品質であるかをネットワークが評価できるようにするためである。共有セル配置において、特定のＴＰから送信されるディスカバリ信号についての固有の態様は、そのＴＰからのＤＭ−ＲＳを有するＱＣＬでなければならない。
【００４０】
スモールセル・オン／オフは、ＨＯ、ＣＡアクティブ化、デュアル接続（サポートする場合）、及び新しいＬ１手順をターゲットとする技術をサポートするはずのＷＩＤに従う。全てのアプローチに共通することは、ディスカバリ信号が送信される周波数でＵＥが動作する前にディスカバリ信号を測定できる必要があることである。異なる全てのアプローチについてディスカバリ信号が満たす必要があることは、ＵＥが、ＲＲＭを測定でき、更に、ディスカバリ信号の送信元のセルに対して大まかな同期を取ることができることである。スモールセル・オン／オフをサポートする方法についての提案の多くに共通することは、ＵＥがＰＤＳＣＨをスケジューリングされたときに、セルがＣＲＳを送信することである。ＵＳがＣＲＳを送信するまでどのくらいかかるかは異なるアプローチにおける相違点であるが、重要な側面はＣＲＳが送信されることである。セルがある時点でオン／オフの動作を停止する可能性もあることを予測することも可能であり、これは新しいＬ１手順に影響を与えうる。また、現在、セルがオン／オフをもはや操作していないことをＵＥに知らせることによって利点がありうる。これは、例えば、セルがオン／オフを操作している（ＳＣｅｌｌが任意のセカンダリ・セル又はコンポーネントキャリアでありうる）か否かを示す、ＳＣｅｌｌ上の異なるアクティブ化コマンドを利用することによって行われうる。セルでＵＥがデータを受信する際にディスカバリ信号に対して測定を行っているという事実をＵＥが利用できるようにするためには、ＵＥは、ディスカバリ信号とＣＲＳとの間のアンテナポート関係に関する何らかの想定を行うことができる必要がある。その結果として、ディスカバリ信号は、スモールセル・オン／オフ展開においてＣＲＳと少なくとも準コロケーションされる（quasi co-located）必要がある。スモールセル・オン／オフ展開では、ディスカバリ信号は、当該ディスカバリ信号と同じセルから送信されるＣＲＳと準コロケーションされなければならない。
【００４１】
ＱＣＬフレームワークを利用することで、ＵＥは、ディスカバリ・シグナリングがタイプＡ又はタイプＢの方法で動作していると想定することができるか否かを示す支援情報のシグナリングを受けることが可能であろう。ＵＥは、ディスカバリ信号がＱＣＬモードのタイプＡ又はタイプＢで運用されていると想定することができるかを示す支援情報の提供を受ける。
【図１】
0006527882.tif 000002
【図２】
0006527882.tif 000003
【図３】
0006527882.tif 000004
【図４】
0006527882.tif 000005
【図５】
0006527882.tif 000006
【図６】
0006527882.tif 000007
【図７】
0006527882.tif 000008
【図８】
0006527882.tif 000009
【図９】
0006527882.tif 000010
【図１０】
0006527882.tif 000011